【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
装置にインストールされた制御ソフトウェアを修正する方法であって、前記制御ソフトウェアが、１組のオブジェクトにリンクした動的エージェント動作プログラムを含む前記方法において、
管理サーバから無線で送信された新しいオブジェクトを、前記装置で受信することであって、前記新しいオブジェクトは、前記１組のオブジェクトにリンクした前記動的エージェント動作プログラムにリンクすることによって前記制御ソフトウェアを実現するように構成されることと、
前記新しいオブジェクトを、前記装置のメモリに格納することとを、
備える方法。
【請求項２】
前記新しいオブジェクトは、電話番号リストが含まれたデータファイルを、備えている請求項１記載の方法。
【請求項３】
前記電話番号リストは、企業の従業員に対応した電話番号のリストを、備えている請求項２記載の方法。
【請求項４】
前記新しいオブジェクトは、電子メールアドレスのリストが含まれたデータファイルを、備えている請求項１記載の方法。
【請求項５】
前記電子メールアドレスのリストは、企業の従業員に対応した電子メールアドレスのリストを、備えている請求項４記載の方法。
【請求項６】
前記新しいオブジェクトは、スクリプトを備えている請求項１記載の方法。
【請求項７】
前記新しいオブジェクトは、ユーザがインターネットにアクセスできるようにするソフトウェアを、備えている請求項１記載の方法。
【請求項８】
前記新しいオブジェクトは、前記装置の動作を評価するために設計された診断ソフトウェアを、備えている請求項１記載の方法。
【請求項９】
前記新しいオブジェクトを実行することと、
前記新しいオブジェクトを、前記メモリから自動的に削除することとを、
さらに含む請求項１記載の方法。
【請求項１０】
ユーザが無線式で通信できるように構成される装置であって、
前記装置の動作を管理するように構成されるコントローラと、
制御プログラムであって、オブジェクトメモリに格納された現行の１組のオブジェクトと、該現行の１組のオブジェクトにリンクしかつプログラムメモリに格納されていて、前記現行の１組のオブジェクトを用いて前記装置の動作を制御するように構成される動的エージェント動作プログラムとが、含まれる制御プログラムとを、
備える前記装置において、
前記コントローラ及び前記動的エージェント動作プログラムは、前記装置が、該装置の機能を変更する追加のオブジェクトを受信できるように構成されている装置。
【請求項１１】
前記コントローラ及び前記動的エージェント動作プログラムは、
前記装置が、装置情報が含まれた更新照会を、無線で送信し、
管理サーバ内に格納されていて前記オブジェクトメモリには格納されていない新しいオブジェクトのリストを編集することができ、
前記装置が、前記管理サーバへ、前記編集されたリスト中の前記新しいオブジェクトの１つに対する要求を無線で送信することができるようにさらに構成される、請求項１０記載の装置。
【請求項１２】
前記オブジェクトメモリは、読み出し専用メモリ及びランダムアクセスメモリを備えている請求項１０記載の装置。
【請求項１３】
装置に格納された制御ソフトウェアを再構成するシステムであって、前記制御ソフトウェアが、１組のオブジェクトにリンクした動的エージェント動作プログラムを含む前記システムにおいて、
新しいオブジェクトを管理サーバから無線で受信して格納するように構成される装置と、前記１組のオブジェクトにリンクした動的エージェント動作プログラムと、を備えるシステム。
【請求項１４】
前記装置は、前記管理サーバへ、装置識別情報が含まれた更新照会を、無線で送信することができるようさらに構成され、
前記装置は、前記管理サーバへ、前記管理サーバ内に格納されていて前記装置のメモリには格納されていない新しいオブジェクトの編集されたリスト中の新しいオブジェクトの１つに対する要求を無線で送信するように構成される、請求項１３記載のシステム。
【請求項１５】
前記新しいオブジェクトの少なくとも１つは、電話番号リストが含まれたデータファイルを、備えている請求項１３記載のシステム。
【請求項１６】
前記新しいオブジェクトの少なくとも１つは、スクリプトを備えている請求項１３記載のシステム。
【請求項１７】
前記新しいオブジェクトの少なくとも１つは、ユーザがインターネットにアクセスできるようにするソフトウェアを、備えている請求項１３記載のシステム。
【請求項１８】
装置に格納された制御ソフトウェアを再構成するためのデータを送信するように構成される管理サーバであって、前記制御ソフトウェアが、１組のオブジェクトにリンクした動的エージェント動作プログラムを含む前記管理サーバにおいて、
前記装置に格納された前記動的エージェント動作プログラムにリンクするように構成された新しいオブジェクトを格納するように構成される記憶装置と、
前記新しいオブジェクトを前記装置へ送信するように構成される送信器とを、
備える管理サーバ。
【請求項１９】
前記装置のメモリに格納されていない新しいオブジェクトのリストを編集するように構成されたコントローラを、さらに含む請求項１８記載の管理サーバ。
【請求項２０】
前記送信器は、前記装置の前記メモリに格納されていない新しいオブジェクトのリストを、当該新しいオブジェクトのサイズとともに、前記装置へ送信するように構成される請求項１９記載の管理サーバ。
【請求項２１】
前記送信器は、前記新しいオブジェクトのリストを、前記装置から更新照会を受信した後に、送信するように構成される請求項２０記載の管理サーバ。
【請求項２２】
前記送信器は、前記新しいオブジェクトを、前記装置から当該新しいオブジェクトの要求を受信した後に、送信するように構成される請求項１８記載の管理サーバ。
【手続補正２】
【補正対象書類名】明細書
【補正対象項目名】０００７
【補正方法】変更
【補正の内容】
【０００７】
本発明は、装置にインストールされた制御ソフトウェアを修正する方法とシステムを提供することにより、上記課題を解決する。本発明の一実施例では、装置にインストールされた制御ソフトウェアを修正する方法であって、前記制御ソフトウェアが、１組のオブジェクトにリンクした動的エージェント動作プログラムを含む前記方法において、管理サーバから無線で送信された新しいオブジェクトを、前記装置で受信することであって、前記新しいオブジェクトは、前記１組のオブジェクトにリンクした前記動的エージェント動作プログラムにリンクすることによって前記制御ソフトウェアを実現するように構成されることと、前記新しいオブジェクトを、前記装置のメモリに格納することとを、備える方法が、提供されている。
【手続補正３】
【補正対象書類名】明細書
【補正対象項目名】０００８
【補正方法】変更
【補正の内容】
【０００８】
本発明の他の実施例では、ユーザが無線式で通信できるように構成される装置であって、前記装置の動作を管理するように構成されるコントローラと、制御プログラムであって、オブジェクトメモリに格納された現行の１組のオブジェクトと、該現行の１組のオブジェクトにリンクしかつプログラムメモリに格納されていて、前記現行の１組のオブジェクトを用いて前記装置の動作を制御するように構成される動的エージェント動作プログラムとが、含まれる制御プログラムとを、備える前記装置において、前記コントローラ及び前記動的エージェント動作プログラムは、前記装置が、該装置の機能を変更する追加のオブジェクトを受信できるように構成されている装置が、提供される。
【手続補正４】
【補正対象書類名】明細書
【補正対象項目名】０００９
【補正方法】変更
【補正の内容】
【０００９】
装置に格納された制御ソフトウェアを再構成するシステムであって、前記制御ソフトウェアが、１組のオブジェクトにリンクした動的エージェント動作プログラムを含む前記システムにおいて、新しいオブジェクトを管理サーバから無線で受信して格納するように構成される装置と、前記１組のオブジェクトにリンクした動的エージェント動作プログラムと、を備えるシステムが、提供される。
【手続補正５】
【補正対象書類名】明細書
【補正対象項目名】００１０
【補正方法】変更
【補正の内容】
【００１０】
本発明のさらなる他の実施例に従って、装置に格納された制御ソフトウェアを再構成するためのデータを送信するように構成される管理サーバであって、前記制御ソフトウェアが、１組のオブジェクトにリンクした動的エージェント動作プログラムを含む前記管理サーバにおいて、前記装置に格納された前記動的エージェント動作プログラムにリンクするように構成された新しいオブジェクトを格納するように構成される記憶装置と、前記新しいオブジェクトを前記装置へ送信するように構成される送信器とを、備える管理サーバが、提供される。